(57)【要約】【課題】壁面に締結具により取付部材を締め込んで取り付けるにあたり、前記壁面の破損を確実に回避しつつ安定した取り付け状態を実現する。【解決手段】壁面３にタッピングボルト４（締結具）によりブラケット２（取付部材）を締め込んで取り付けるようにした壁面取付ユニットに関し、タッピングボルト４を壁面３に対し締め込むにつれ受け部材１０が相対的にタッピングボルト４のボルトヘッド４ａ（締結頭部）側へ移動して該ボルトヘッド４ａとの間で第二面部６が挟圧保持されるよう構成すると共に、該第二面部６における受け部材１０との対峙側にタッピングボルト４の締め込み方向と直交する面に対し傾きを持つ傾斜面１８を形成し、該傾斜面１８に受け部材１０を圧接せしめることで該受け部材１０に傾きを誘導してタッピングボルト４との噛合状態にかじりを促すように構成する。【選択図】図１
2020148057.tif 000002
【特許請求の範囲】
【請求項１】
壁面に締結具により取付部材を締め込んで取り付けるようにした壁面取付ユニットであって、前記取付部材における前記壁面と圧接する第一面部から反壁面側に離間した位置に第二面部を備え、これら第一面部と第二面部との間に形成される内部空間を通し前記締結具を締め込み方向に貫通せしめる挿入孔を第一面部と第二面部の夫々に穿設し、これら第一面部と第二面部との間で前記締結具に貫通螺着される受け部材を共回りしないよう前記内部空間に収容せしめ、前記締結具を前記壁面に対し締め込むにつれ前記受け部材が相対的に前記締結具の締結頭部側へ移動して該締結頭部との間で前記第二面部が挟圧保持されるよう構成すると共に、該第二面部における前記受け部材との対峙側に前記締結具の締め込み方向と直交する面に対し傾きを持つ傾斜面を形成し、該傾斜面に前記受け部材を圧接せしめることで該受け部材に傾きを誘導して前記締結具との噛合状態にかじりを促すように構成したことを特徴とする壁面取付ユニット。
【請求項２】
取付部材が半割り状の一対の分割ピースにより上下に分割構成され、下側の分割ピースに第一面部及び第二面部が装備され、上側の分割ピースを下側の分割ピースに装着することで第一面部及び第二面部が締結具と共に被覆されるように構成されていることを特徴とする請求項１に記載の壁面取付ユニット。
【請求項３】
受け部材の左右側面に摺接して該受け部材の共回りを阻止しながら締結具の締め込み方向に案内するガイド側壁が取付部材に装備され、前記受け部材に対し俯仰方向の傾きを誘導するように傾斜面が形成されていることを特徴とする請求項１又は２に記載の壁面取付ユニット。
【発明の詳細な説明】
【技術分野】
【０００１】
本発明は、壁面に締結具により取付部材を締め込んで取り付けるようにした壁面取付ユニットに関する。
【背景技術】
【０００２】
一般に、手すり状のバーを一対のブラケット（取付部材）を介し壁面から支持する場合、該各ブラケットをタッピングボルト（締結具）により壁面に締め込んで取り付けるようにしており、この種のタッピングボルトを締め込むにあたっては、インパクトドライバー等の電動工具を用いて簡便に且つ確実に行うようにしている。
【先行技術文献】
【特許文献】
【０００３】
【特許文献１】特開２０１７−１１０３３５号公報
【発明の概要】
【発明が解決しようとする課題】
【０００４】
しかしながら、インパクトドライバー等の電動工具を用いてタッピングボルトを締結する場合、電動工具のトルクが大きいためにタッピングボルトを壁面に対し締め込み過ぎてしまうきらいがあり、そのような場合にタッピングボルトの締め込み量が過剰となって前記壁面に応力集中による破損を招く虞れがあった。
【０００５】
また、従来の如き単純にタッピングボルトを締め込んで取り付ける方式では、ブラケットをガタつきなく取り付けるのに、前記タッピングボルトを強く締め込んで前記ブラケットの壁面に対する面圧を高めることに頼らざるを得ず、このようなガタつきを防ぐための手立てとして締め込み過ぎが生じ易いという側面もあった。
【０００６】
本発明は、斯かる実情に鑑みてなしたもので、壁面に締結具により取付部材を締め込んで取り付けるにあたり、前記壁面の破損を確実に回避しつつ安定した取り付け状態を実現し得るようにした壁面取付ユニットを提供することを目的としている。
【課題を解決するための手段】
【０００７】
本発明は、壁面に締結具により取付部材を締め込んで取り付けるようにした壁面取付ユニットであって、前記取付部材における前記壁面と圧接する第一面部から反壁面側に離間した位置に第二面部を備え、これら第一面部と第二面部との間に形成される内部空間を通し前記締結具を締め込み方向に貫通せしめる挿入孔を第一面部と第二面部の夫々に穿設し、これら第一面部と第二面部との間で前記締結具に貫通螺着される受け部材を共回りしないよう前記内部空間に収容せしめ、前記締結具を前記壁面に対し締め込むにつれ前記受け部材が相対的に前記締結具の締結頭部側へ移動して該締結頭部との間で前記第二面部が挟圧保持されるよう構成すると共に、該第二面部における前記受け部材との対峙側に前記締結具の締め込み方向と直交する面に対し傾きを持つ傾斜面を形成し、該傾斜面に前記受け部材を圧接せしめることで該受け部材に傾きを誘導して前記締結具との噛合状態にかじりを促すように構成したことを特徴とするものである。
【０００８】
而して、このようにした場合、壁面に締結具により取付部材を締め込んで取り付けるにあたり、第一面部側から第二面部側へ向け挿入孔を通し締結具を貫通させ且つこれら第一面部と第二面部との間で受け部材を貫通螺着させた状態として前記締結具の締め込みを行うと、該締結具を前記壁面に対し締め込むにつれ前記受け部材が相対的に前記締結具の締結頭部側へ移動する結果、該締結頭部と前記受け部材との間で前記第二面部が挟圧保持される形となって、それ以上の更なる締め込みが阻止されることになり、これにより前記締結具の締め込み量が規定されて過剰な締め込みが防止される。
【０００９】
この際、前記受け部材は第二面部の傾斜面に圧接されて傾きを誘導され、この傾きにより前記締結具との噛合状態にかじりが促されるので、前記受け部材が前記第二面部の傾斜面に圧接された状態でロックされ、これにより前記受け部材の緩み止めが成されることになり、しかも、前記第二面部が前記受け部材と前記締結具の締結頭部とにより挟圧保持された状態にロックされることで前記締結具に対し取付部材が強固に一体化され、該取付部材の壁面に対する面圧に頼らなくてもガタつきのない安定した取り付け状態が得られる。
【００１０】
また、本発明においては、取付部材が半割り状の一対の分割ピースにより上下に分割構成され、下側の分割ピースに第一面部及び第二面部が装備され、上側の分割ピースを下側の分割ピースに装着することで第一面部及び第二面部が締結具と共に被覆されるように構成されていることが好ましい。
【００１１】
このようにすれば、先に下側の分割ピースだけを締結具により壁面に取り付け、後から上側の分割ピースを装着して第一面部及び第二面部を締結具と共に被覆することが可能となり、第一面部及び第二面部が露出した状態で簡便に締結具の締め込みを行うことが可能となると共に、上側の分割ピースを後から装着することで第一面部及び第二面部を締結具と共に被覆して見栄えの向上を図ることが可能となる。
【００１２】
尚、取付部材を上下に分割構成しておけば、各分割ピースの接合部が側面となることで目立ち難くなり、また、屋外に配置した場合に各分割ピースの接合部から雨水が内部に侵入し難くなる。
【００１３】
更に、本発明においては、受け部材の左右側面に摺接して該受け部材の共回りを阻止しながら締結具の締め込み方向に案内するガイド側壁が取付部材に装備され、前記受け部材に対し俯仰方向の傾きを誘導するように傾斜面が形成されていると良い。
【発明の効果】
【００１４】
本発明の壁面取付ユニットによれば、下記の如き種々の優れた効果を奏し得る。
【００１５】
（Ｉ）締結具の締め込みにより受け部材を前記締結具の締結頭部側へ相対的に移動させ、該締結頭部と受け部材との間で第二面部を挟圧保持させることにより、締結具の締め込み量を規定して過剰な締め込みを防止することができ、しかも、受け部材の第二面部への圧接時に前記受け部材に傾きを誘導して締結具との噛合状態に意図的にかじりを促すことで前記受け部材の緩み止めを図ることもでき、これにより第二面部を受け部材と締結具の締結頭部とにより挟圧保持された状態にロックして締結具に対する取付部材の強固な一体化を図ることができるので、壁面に対する面圧を高めることに頼らずに取付部材のガタつきを防ぐことができ、壁面に締結具により取付部材を締め込んで取り付けるにあたり、前記壁面の破損を確実に回避しつつ安定した取り付け状態を実現することができる。
【００１６】
（ＩＩ）取付部材が半割り状の一対の分割ピースにより上下に分割構成され、下側の分割ピースに第一面部及び第二面部が装備され、上側の分割ピースを下側の分割ピースに装着することで第一面部及び第二面部が締結具と共に被覆されるように構成すれば、第一面部及び第二面部が露出した状態で簡便に締結具の締め込みを行うことができ、上側の分割ピースを後から装着することで第一面部及び第二面部を締結具と共に被覆して見栄えの向上を図ることもできる。
【図面の簡単な説明】
【００１７】
【図１】本発明の一実施例を示す一部を切り欠いた側面図である。
【図２】図１のブラケットでバーを壁面から支持した例を示す斜視図である。
【図３】図１の受け部材の詳細を示す斜視図である。
【図４】図１の分割部品の詳細を示す斜視図である。
【図５】図１の本体部の詳細を示す斜視図である。
【図６】図１の要部を拡大して示す側面図である。
【図７】図６の第二面部に受け部材が圧接した状態を示す側面図である。
【図８】図１の下側の分割ピースにバーを固定した状態を示す斜視図である。
【図９】図８のバーの端部を固定するためのジョイントパーツの斜視図である。
【図１０】図８のバーの端面を被覆するためのキャップの斜視図である。
【図１１】図１の上側の分割ピースの詳細を示す斜視図である。
【図１２】図１のブラケットの取り付け完了後の状態を示す側面図である。
【発明を実施するための形態】
【００１８】
以下、本発明の実施の形態を添付図面を参照して説明する。
【００１９】
図１〜図１１は本発明の壁面３取付ユニットの一実施例を示すもので、本実施例においては、手すり状のバー１（図２参照）の両端部を壁面３から支持するためのブラケット２を取付部材とし、該ブラケット２をタッピングボルト４により壁面３に締め込んで取り付ける場合を例示しており、ここに図示しているブラケット２は、半割り状の一対の分割ピース２ａ，２ｂにより上下に分割構成されている。
【００２０】
そして、下側の分割ピース２ａにおける前記壁面３と圧接する側には第一面部５が装備され、該第一面部５から反壁面３側に離間した位置には第二面部６が起立状態で形成されており、これら第一面部５と第二面部６との間に形成される内部空間７を通し前記タッピングボルト４を締め込み方向に貫通せしめる挿入孔８，９が第一面部５と第二面部６の夫々に穿設されている。
【００２１】
更に、前記内部空間７には、前記タッピングボルト４に貫通螺着されるようにした受け部材１０が収容されており、前記タッピングボルト４を前記壁面３に対し締め込むにつれ前記受け部材１０が相対的に前記タッピングボルト４のボルトヘッド４ａ（締結頭部）側へ移動して該ボルトヘッド４ａとの間で前記第二面部６が挟圧保持されるようになっている。
【００２２】
ここで、前記受け部材１０は、中央部に雌ねじ部１０ａを備えた矩形状を成し（図３参照）、その左右側面に後述のガイド側壁１１が摺接することで前記タッピングボルト４との共回りを阻止されつつ該タッピングボルト４の締め込み方向（図１中の左右方向）に案内されるようになっている。
【００２３】
また、下側の分割ピース２ａにおける第一面部５及びガイド側壁１１は、前記内部空間７に受け部材１０を収容させなければならない関係から図４に示す如き着脱自在な分割部品２ａ1となっていて、この分割部品２ａ1を図５の本体部２ａ2と組み付けることで下側の分割ピース２ａとして完成するような構造としてある。
【００２４】
より具体的には、前記本体部２ａ2の第二面部６頂部中央に形成した掛止爪１２と、前記本体部における内部空間７直下に相当する底面に形成した掛止爪１３とに対し、前記分割部品２ａ1の上下の舌片部１４，１５に形成した各スリット１６，１７を夫々掛止させることで前記分割部品２ａ1と前記本体部２ａ2とが組み付けられるようになっている。
【００２５】
この際、前記分割部品２ａ1と前記本体部２ａ2との間には、夫々の組み付け後にあっても、前記内部空間７の受け部材１０の様子を作業者が外から確認できるよう隙間が形成されていることが好ましく、例えば、前記上側の舌片部１４のスリット１６を大きめに開口させたり、前記各ガイド側壁１１を前記第二面部６まで突き当たらせずに離間させたりすると良い（後述の図８参照）。
【００２６】
更に、図６に拡大して示す通り、第二面部６における前記受け部材１０との対峙側には、前記タッピングボルト４の締め込み方向と直交する面に対し傾きを持つ傾斜面１８が形成され、図７に示す如く、前記傾斜面１８に前記受け部材１０を圧接せしめることで該受け部材１０に傾きを誘導して前記タッピングボルト４との噛合状態にかじりを促すようにしてある。
【００２７】
特に本実施例にあっては、前記受け部材１０の左右側面にガイド側壁１１を摺接させて前記受け部材１０をタッピングボルト４の締め込み方向に案内するようにしているので、前記受け部材１０に対し俯仰方向の傾きを誘導するよう反壁面３側へ向け急勾配の上り斜面を成すような傾斜面１８となっている。
【００２８】
尚、図８に示す如く、バー１の端部は下側の分割ピース２ａの先端部でジョイントパーツ１９（図９参照）により抑え込まれてビス２０（図８参照）で止められ、その端面をキャップ２１（図１０参照）により被覆された状態で固定されるようになっているが、必ずしも図示例通りのバー１の固定形式を採用する必要はなく、その固定形式に様々な形式を採用し得ることは勿論である。
【００２９】
一方、図１１に示す如く、上側の分割ピース２ｂは、以上に詳述した如き下側の分割ピース２ａに対し装着して第一面部５及び第二面部６をタッピングボルト４やジョイントパーツ１９等と共に被覆し得るようになっており、下側の分割ピース２ａだけをタッピングボルト４により先に壁面３に取り付け、後から上側の分割ピース２ｂを装着することで、図１２に示す如き見栄えの向上を図り得るようにしてある。
【００３０】
尚、図１２に示す如き取り付け完了後の状態において、前記分割部品２ａ1の壁面３と対峙する側の周囲が該壁面３に対し一段下がりに後退しているのは、ここにシール材を充填するためのシールポケット２２が確保されるようにしているからである。
【００３１】
而して、壁面３にタッピングボルト４によりブラケット２を締め込んで取り付けるにあたっては、上側の分割ピース２ｂを取り外した状態で下側の分割ピース２ａのみをタッピングボルト４により先に壁面３に取り付けることになるが、第一面部５側から第二面部６側へ向け挿入孔を通しタッピングボルト４を貫通させ且つこれら第一面部５と第二面部６との間で受け部材１０を貫通螺着させた状態として前記タッピングボルト４の締め込みを行うと、該タッピングボルト４を前記壁面３に対し締め込むにつれ前記受け部材１０が相対的に前記タッピングボルト４のボルトヘッド４ａ側へ移動する結果、該ボルトヘッド４ａと前記受け部材１０との間で前記第二面部６が挟圧保持される形となって、それ以上の更なる締め込みが阻止されることになり、これにより前記タッピングボルト４の締め込み量が規定されて過剰な締め込みが防止される。
【００３２】
この際、前記受け部材１０は第二面部６の傾斜面１８に圧接されて傾きを誘導され、この傾きにより前記タッピングボルト４との噛合状態にかじりが促されるので、前記受け部材１０が前記第二面部６の傾斜面１８に圧接された状態でロックされ、これにより前記受け部材１０の緩み止めが成されることになり、しかも、前記第二面部６が前記受け部材１０と前記タッピングボルト４のボルトヘッド４ａとにより挟圧保持された状態にロックされることで前記タッピングボルト４に対しブラケット２が強固に一体化され、該ブラケット２の壁面３に対する面圧に頼らなくてもガタつきのない安定した取り付け状態が得られる。
【００３３】
そして、このようにして下側の分割ピース２ａを壁面３に取り付け終えたら、バー１の端部を下側の分割ピース２ａの先端部に対しジョイントパーツ１９で抑え込んでビス２０で止め且つ前記バー１の端面をキャップ２１により被覆した上で上側の分割ピース２ｂを被せ、上下の分割ピース２ａ，２ｂ相互の外縁部同士を嵌め合わせることでブラケット２の取り付け作業が完了となるが、例えば、上側の分割ピース２ｂの先端下面中央にＵ字形の掛止枠２３を設けておき、該掛止枠２３に前記ジョイントパーツ１９の掛止爪２４を掛止させることで固定しておくと良い。
【００３４】
尚、補足しておくと、タッピングボルト４の締め込み作業の後でバー１の端部を取り付けるようにしないと、このバー１の端部の固定箇所がタッピングボルト４の締め込み作業の邪魔になってしまうので、タッピングボルト４の締め込み作業の後でバー１の端部を取り付けることが好ましい。この際、下側の分割ピース２ａを図示の通り先端下がりに形成しておくと、タッピングボルト４の締め込みが更に行い易くなることも付言しておきたい。
【００３５】
従って、上記実施例によれば、タッピングボルト４の締め込みにより受け部材１０を前記タッピングボルト４のボルトヘッド４ａ側へ相対的に移動させ、該ボルトヘッド４ａと受け部材１０との間で第二面部６を挟圧保持させることにより、タッピングボルト４の締め込み量を規定して過剰な締め込みを防止することができ、しかも、受け部材１０の第二面部６への圧接時に前記受け部材１０に傾きを誘導してタッピングボルト４との噛合状態に意図的にかじりを促すことで前記受け部材１０の緩み止めを図ることもでき、これにより第二面部６を受け部材１０とタッピングボルト４のボルトヘッド４ａとにより挟圧保持された状態にロックしてタッピングボルト４に対するブラケット２の強固な一体化を図ることができるので、壁面３に対する面圧を高めることに頼らずにブラケット２のガタつきを防ぐことができ、壁面３にタッピングボルト４によりブラケット２を締め込んで取り付けるにあたり、前記壁面３の破損を確実に回避しつつ安定した取り付け状態を実現することができる。
【００３６】
また、特に本実施例にあっては、先に下側の分割ピース２ａだけをタッピングボルト４により壁面３に取り付け、後から上側の分割ピース２ｂを装着して第一面部５及び第二面部６をタッピングボルト４と共に被覆するようにしているので、第一面部５及び第二面部６が露出した状態で簡便にタッピングボルト４の締め込みを行うことができ、第一面部５及び第二面部６をタッピングボルト４と共に被覆して見栄えの向上を図ることもできる。
【００３７】
しかも、ブラケット２を上下に分割構成しておけば、各分割ピース２ａ，２ｂの接合部が側面となることで目立ち難くなり、また、屋外に配置した場合に各分割ピース２ａ，２ｂの接合部から雨水が内部に侵入し難くなるというメリットも得られる。
【００３８】
尚、本発明の壁面取付ユニットは、上述の実施例にのみ限定されるものではなく、取付部材は必ずしも手すり状のバーの両端部を壁面から支持するためのブラケットに限定されないこと、締結具は必ずしもタッピングボルトに限定されず、例えば、壁面の材質に応じて木ねじ等を採用しても良いこと、受け部材は締結具を貫通螺着させ得る構造となっていれば一体成形品であっても組付け部品であっても良いこと、その他、本発明の要旨を逸脱しない範囲内において種々変更を加え得ることは勿論である。
【符号の説明】
【００３９】
２      ブラケット（取付部材）
２ａ    下側の分割ピース
２ｂ    上側の分割ピース
３      壁面
４      タッピングボルト（締結具）
４ａ    ボルトヘッド（締結頭部）
５      第一面部
６      第二面部
７      内部空間
８      挿入孔
９      挿入孔
１０    受け部材
１１    ガイド側壁
１８    傾斜面
【図１】
2020148057.tif 000003
【図２】
2020148057.tif 000004
【図３】
2020148057.tif 000005
【図４】
2020148057.tif 000006
【図５】
2020148057.tif 000007
【図６】
2020148057.tif 000008
【図７】
2020148057.tif 000009
【図８】
2020148057.tif 000010
【図９】
2020148057.tif 000011
【図１０】
2020148057.tif 000012
【図１１】
2020148057.tif 000013
【図１２】
2020148057.tif 000014